(57)【要約】【課題】洗面ボールのオーバーフロー口に棚板及び通水口を設けた取付具本体の背面側に係止片を形成した取付具の係止片を係着することにより、この取付具を挿着するだけで簡単に棚を形成することができ、しかもパッキングが不要で排水も可能な洗面化粧台のオーバーフロー口への取付具の取付構造及びその取付具を提供するものである。【解決手段】洗面ボール１のオーバーフロー口２に棚板３及び通水口４を設けた取付具本体５の背面側に係止片６を形成した取付具７の係止片６を係着するものである。このとき、上記取付具７の係止片６が洗面ボール１のオーバーフロー口２に遊嵌するように着脱自在に挿着することで、取付具７の着脱が簡単にできる。【選択図】　　　　図３
2004084180.tif 000002
【特許請求の範囲】
【請求項１】
洗面ボールのオーバーフロー口に棚板及び通水口を設けた取付具本体の背面側に係止片を形成した取付具の係止片を係着することを特徴とする洗面化粧台のオーバーフロー口への取付具の取付構造。
【請求項２】
上記取付具の係止片が洗面ボールのオーバーフロー口に遊嵌するように着脱自在に挿着することを特徴とする請求項１記載の洗面化粧台のオーバーフロー口への取付具の取付構造。
【請求項３】
取付具本体が略逆Ｌ字状に形成され水平部を棚板とし、垂直部に通水口を設け、該取付具本体の背面側の通水口の少なくとも一方にオーバーフロー口に係止する係止片を設けてなる洗面化粧台のオーバーフロー口への取付具。
【請求項４】
上記取付具の係止片の端部に洗面ボールのオーバーフロー口の裏面に係止する突出部を設けたことを特徴とする請求項３記載の洗面化粧台のオーバーフロー口への取付具。
【発明の詳細な説明】
【０００１】
【発明の属する技術分野】
本発明は、洗面化粧台のオーバーフロー口へ簡単に取付具を挿着して、棚板を形成することが可能な洗面化粧台オーバーフロー口への取付具の取付構造及びその取付具に関するものである。
【０００２】
【従来の技術】
図７において、実開平４−１３８４７１号の洗面化粧台Ａの洗面ボール２０のように、洗面化粧台Ａの後壁に設けた排水口２１及びオーバーフロー用の開口２２を設け、この凹部２３の上面を着脱自在なトレイ２４で覆い隠すとともに前面を着脱自在な仕切り板２５で覆い隠すようにするものがある。
【０００３】
このようなものでは着脱自在なトレイ２４と仕切り板２５の二部材が必要となり、洗面ボール２０へトレイ２４を挿着するための一段下がった溝部２６の加工やトレイ２４の大きさを大きく形成することが困難であるものである。また、仕切り板２５があるために、水の収容部の体積が小さくなるとともに棚板のような広い物置スペースがないという問題があった。
【０００４】
また、図８の特開２００１−２１４４８９号に示したように、オーバーフロー口２２にキャップ２６を係止片２７に着脱自在に取付けることにより、汚れを隠して不快感が生じることのないように、また汚れを簡単に洗浄できるようにしたものがある。このキャップ２６は、オーバーフロー口２２に弾性的に嵌合挿着される脚２８を有し、着脱自在なものである。尚、キャップ２６には、脚２８が形成されており、このキャップ２６の係止片２７をオーバーフロー口２２に係止するものである。したがって、オーバーフロー口２２は、キャップ２６によって、止水されるものである。
【０００５】
【発明が解決しようとする課題】
本発明は上記問題点の解決を目的とするものであり、洗面ボールのオーバーフロー口に棚板及び通水口を設けた取付具本体の背面側に係止片を形成した取付具の係止片を係着することにより、この取付具を挿着するだけで簡単に棚を形成することができ、しかもパッキングが不要で排水も可能な洗面化粧台のオーバーフロー口への取付具の取付構造及びその取付具を提供するものである。
【０００６】
【課題を解決するための手段】
本発明の請求項１記載の洗面化粧台のオーバーフロー口への取付具の取付構造は、洗面ボールのオーバーフロー口に棚板及び通水口を設けた取付具本体の背面側に係止片を形成した取付具の係止片を係着することを特徴とする
【０００７】
したがって、取付具を挿着するだけで簡単に棚板を形成することができ、パッキングが不要で簡単に施工ができ、排水も可能なものである。
【０００８】
本発明の請求項２記載の洗面化粧台のオーバーフロー口への取付具の取付構造は、請求項１記載の上記取付具の係止片が洗面ボールのオーバーフロー口に遊嵌するように着脱自在に挿着することを特徴とするものである
【０００９】
したがって、取付具の挿着作業が簡便であるとともに各種の棚板の大きさの取付具を用意することで種々の棚板を取付けすることが可能となる。また、パッキングが不要なので簡単に施工ができ商品寿命が長い。
【００１０】
本発明の請求項３記載の洗面化粧台のオーバーフロー口への取付具は、略逆Ｌ字状に形成された取付具本体が水平部を棚板とし、垂直部に通水口を設け、該取付具本体の背面側の通水口の少なくとも一方にオーバーフロー口に係止する係止片を設けてなるものである。
【００１１】
したがって、取付具本体が略逆Ｌ字状に形成されるので曲げ強度が強く、係止片により簡単に洗面ボールのオーバーフロー口に係止することが可能となる。
【００１２】
本発明の請求項４記載の洗面化粧台のオーバーフロー口への取付具は、請求項３記載の取付具の係止片の端部に洗面ボールのオーバーフロー口の裏面に係止する突出部を設けたことを特徴とするものである。
【００１３】
したがって、取付具の係止片の端部に洗面ボールの裏面に係止する突出部が設けられているので、洗面ボールから取付具が脱落することもない。
【００１４】
【発明の実施の形態】
図１乃至図６に示したように、本発明の実施形態に係わる洗面化粧台オーバーフロー口への取付具の取付構造及びその取付具であって、以下に説明する。
【００１５】
本発明の洗面化粧台のオーバーフロー口への取付具の取付構造は、図１（ａ）、（ｂ）、（ｃ）に示したような洗面ボール１のオーバーフロー口２に棚板３及び通水口４を設けた取付具本体５の背面側に係止片６を形成した取付具７の係止片６を係着するものである。このとき、上記取付具７の係止片６が洗面ボール１のオーバーフロー口２に遊嵌するように着脱自在に挿着することで、取付具７の着脱が簡単にできる。
【００１６】
図２及び図３は、取付具７の一実施形態であって、取付具本体５が略逆Ｌ字状に形成され水平部８を棚板３とし、垂直部９に通水口４を設け、この取付具本体５の背面側の通水口４の少なくとも一方にオーバーフロー口２に係止する係止片６を設けたものである。このとき、取付具７の係止片６は、オーバーフロー口２の上下に形成されたものであって、この上下に形成された係止片６が洗面ボール１のオーバーフロー口２に挿着されてシャンプー、整髪剤等の容器や石鹸等を置くための棚板３が形成される。取付具７の係止片６は、上下に形成されているので曲げ強度も大となる。
【００１７】
図４及び図５は、取付具７の異なる実施形態であって、取付具本体５が略逆Ｌ字状に形成され水平部８を棚板３とし、垂直部９に通水口４を設け、この取付具本体５の背面側の通水口４の下側にオーバーフロー口２に係止する係止片６を設けたものである。このとき、取付具７の係止片６の端部には、洗面ボール１の裏面１０に係止する突出部１１を設けたものである。
【００１８】
図６は、取付具７のさらに異なる実施形態であって、取付具本体５が略逆Ｌ字状に形成され水平部８を棚板３とし、垂直部９に通水口４を設け、この取付具本体５の背面側の通水口４の四周にオーバーフロー口２に係止する係止片６を設けたものである。このとき、取付具７の四周の係止片６を洗面ボール１のオーバーフロー口２に遊嵌して固着している。さらに、洗面ボール１の裏面１０に係止するように取付具７の四周の係止片６の端部に突出部１１を設けたものである。
【００１９】
以下、本発明の一実施例に係わる図１乃至図６に基づいて詳細に説明する。
図１（ａ）は洗面ボールの平面図、（ｂ）は（ａ）の背面図、（ｃ）は（ａ）の側面図、図２は、一実施例に係わる取付具の斜視図、図３は、図２の一実施例に係わる取付具を用いて洗面ボールに挿着した要部の断面図、図４は、異なる実施例に係わる取付具の斜視図、図５は、図４の異なる実施例に係わる取付具を用いて洗面ボールに挿着した要部の断面図、図６は、さらに異なる実施例に係わる取付具の斜視図である。
【００２０】
図１において、洗面化粧台Ａに取付けられる平面略四角形状の洗面ボール１が形成され、この洗面ボール１内に水栓金具（図示せず）で得られた水や湯水が排水される排水口１２が設けられており、この排水口１２から下方に排水管を接続し排水するようにされている。このとき、洗面ボール１内には、給水された水や湯水がオーバーフローしないように洗面ボール１の上面より低い位置に楕円状をしたオーバーフロー口２が開口されている。ここでオーバーフローされた水や湯水は、洗面ボール１のオーバーフロー口２の背面側に接続されたバイパス管１３より本管である排水口１２に接続された排水管に接続され排水される。
（実施例１）
【００２１】
図２及び図３において、略逆Ｌ字状に形成された陶器や磁器等のセラミック、ステンレス等の金属、塩化ビニールやポリカーボネート等の樹脂でできた取付具本体５の水平部８を棚板３とし、垂直部９にオーバーフロー口２と略同一開口形状の通水口４が設けられ、この取付具本体５の背面側の通水口４の上下にオーバーフロー口２に係止する係止片６ａ、６ｂを設けた取付具７である。このとき、取付具７の各々の係止片６ａ、６ｂの端部には、洗面ボール１の裏面に確実に係止されるように上下に突出する突出部１１ａ、１１ｂが設けられている。尚、取付具７に設けられている棚板３は、二段、三段と多段に設けられれば収納面積が増大するものである。
【００２２】
したがって、取付具７の係止片６ａ、６ｂの端部に洗面ボール１の裏面に係止する突出部１１ａ、１１ｂが設けられているので、洗面ボール１から取付具７が脱落することもない。このように、取付具７を洗面ボール１のオーバーフロー口２に挿着するだけで簡単に棚板３を形成することができ、この棚板３にシャンプー、整髪剤等の容器や石鹸等を置くことができる。また、パッキングが不要なので簡単に施工ができる。そして、取付具７の通水口４を介してオーバーフロー口２からの排水も確実なものである。
（実施例２）
【００２３】
図４及び図５は、取付具７の異なる実施形態であって、略逆Ｌ字状に形成された陶器や磁器等のセラミック、ステンレス等の金属、塩化ビニールやポリカーボネート等の樹脂でできた取付具本体５が水平部８を棚板３とし、垂直部９にオーバーフロー口２と略同一開口形状の通水口４を設け、この取付具本体５の背面側の通水口４の下側にオーバーフロー口２に係止する係止片６を設けたものである。このとき、取付具７の係止片６の端部には、洗面ボール１の裏面１０に係止する突出部１１が設けられたものである。尚、取付具７に設けられている棚板３は、二段、三段と多段に設けられれば収納面積が増大するものである。
【００２４】
したがって、取付具７の通水口４の下側に係止片６が設けられ、この係止片６の端部に洗面ボール１の裏面に係止する突出部１１が設けられているので、洗面ボール１のオーバーフロー口２に挿着しやすく且つ材料も少なく成形でき、この取付具７が脱落することもない。このように、取付具７を洗面ボール１のオーバーフロー口２に挿着するだけで簡単に棚板３を形成することができ、この棚板３にシャンプー、整髪剤等の容器や石鹸等を置くことができる。また、パッキングが不要なので簡単に施工ができる。そして、取付具７の通水口４を介してオーバーフロー口２からの排水も確実なものである。
（実施例３）
【００２５】
図６は、略逆Ｌ字状に形成された陶器や磁器等のセラミック、ステンレス等の金属、塩化ビニールやポリカーボネート等の樹脂でできた取付具本体５の水平部８を棚板３とし、垂直部９に四角形状の通水口４を設け、この通水口４の四周にオーバーフロー口２に係止する係止片６ａ、６ｂ、６ｃ、６ｄを設けたものである。このとき、取付具７の四周の係止片６を洗面ボール１のオーバーフロー口２に遊嵌して固着されている。さらに、洗面ボール１の裏面１０に係止するように取付具７の四周の係止片６の端部に突出部１１ａ、１１ｂ、１１ｃ、１１ｄを設けたものである。尚、取付具７に設けられている棚板３は、二段、三段と多段に設けられれば収納面積が増大するものである。
【００２６】
したがって、この取付具７を用いることによって、洗面ボール１のオーバーフロー口２の背面側に接続されたバイパス管１３に確実に排水される。また、取付具７に四周の係止片６ａ、６ｂ、６ｃ、６ｄを設けているので、曲げ強度が強く簡単に施工ができ、洗面ボール１から外れにくいものである。
【００２７】
尚、この取付具７の係止片６の端部に設けられている突出部１１ａ、１１ｂ、１１ｃ、１１ｄは、洗面ボール１のオーバーフロー口２に挿入しやすく、しかも外れにくくすれば良く、要するに着脱自在に形成すれば良いものである。万一この取付具７が壊れても交換できるようにすれば良いものである。
【００２８】
【発明の効果】
上述の如く、本発明の請求項１記載の洗面化粧台のオーバーフロー口への取付具の取付構造は、洗面ボールのオーバーフロー口に棚板及び通水口を設けた取付具本体の背面側に係止片を形成した取付具の係止片を係着するので、取付具を挿着するだけで簡単に棚板を形成することができ、パッキングが不要で簡単に施工ができ、排水も可能なものである。
【００２９】
本発明の請求項２記載の洗面化粧台のオーバーフロー口への取付具の取付構造は、取付具の係止片が洗面ボールのオーバーフロー口に遊嵌するように着脱自在に挿着しているので、取付具の挿着作業が簡便であるとともに各種の棚板の大きさの取付具を用意することで種々の棚板を取付けすることが可能となる。また、パッキングが不要なので簡単に施工ができ商品寿命が長い。
【００３０】
本発明の請求項３記載の洗面化粧台のオーバーフロー口への取付具は、略逆Ｌ字状に形成された取付具本体が水平部を棚板とし、垂直部に通水口を設け、この取付具本体の背面側の通水口の少なくとも一方にオーバーフロー口に係止する係止片を設けているので、取付具本体が略逆Ｌ字状に形成されるので曲げ強度が強く、しかも係止片により簡単に洗面ボールのオーバーフロー口に係止することが可能となる。
【００３１】
本発明の請求項４記載の洗面化粧台のオーバーフロー口への取付具は、取付具の係止片の端部に洗面ボールのオーバーフロー口の裏面に係止する突出部を設けているので、洗面ボールから取付具が脱落することもない。
【図面の簡単な説明】
【図１】（ａ）は、本発明の一実施例に係わる洗面ボールの平面図、（ｂ）は（ａ）の背面図、（ｃ）は（ａ）の側面図である。
【図２】本発明の一実施例に係わる取付具の斜視図である。
【図３】本発明の一実施例に係わる図２の一実施例に係わる取付具を用いて洗面ボールに挿着した要部の断面図である。
【図４】本発明の異なる実施例に係わる取付具の斜視図である。
【図５】本発明の異なる実施例に係わる図４の取付具を用いて洗面ボールに挿着した要部の断面図である。
【図６】本発明のさらに異なる実施例に係わる取付具の斜視図である。
【図７】従来の洗面化粧台のオーバーフロー用のトレイを示す要部の斜視図である。
【図８】従来のオーバーフロー口のキャップを示す要部の縦断面図である。
【符号の説明】
Ａ　　　洗面化粧台
１　　　洗面ボール
２　　　オーバーフロー口
３　　　棚板
４　　　通水口
５　　　取付具本体
６　　　係止片
７　　　取付具
８　　　水平部
９　　　垂直部
１０　　裏面
１１　　突出部
１２　　排水口
１３　　バイパス管
【図１】
2004084180.tif 000003
【図２】
2004084180.tif 000004
【図３】
2004084180.tif 000005
【図４】
2004084180.tif 000006
【図５】
2004084180.tif 000007
【図６】
2004084180.tif 000008
【図７】
2004084180.tif 000009
【図８】
2004084180.tif 000010